(57)【要約】【課題】第１の課題は、地中深部から汲み上げるか、又は自然湧水した各種ミネラルが豊富で美味しい天然水を広く宣伝してその売上実績を向上させると共に、他企業の商品広告や各種組織、団体のイベント情報等のＰＲを最新の電子機器を装備し、費用対効果の高い広告機能付きウォーターサーバーを提供することである。【解決手段】天然水Ｗを冷却する冷水タンク６０及び天然水Ｗを温める温水タンク７０を内蔵し、冷水タンク６０及び温水タンク７０から天然水Ｗを供給する供給口６０ａ、７０ａが設けられたケーシング本体１００と、ケーシング本体１００の上部に装着される天然水Ｗが密封された貯水容器５０をセットするホルダー２０と、そのホルダー２０内の中央部に取り付けられるニードルユニット４０と、ケーシング本体１００の内外に装着された広告手段３０とから構成されている。【選択図】図１
2013056699.tif 000002
【特許請求の範囲】
【請求項１】
天然水を冷却する冷水タンク及び天然水を温める温水タンクを内蔵し、冷水タンク及び温水タンクから天然水を供給する供給口が設けられたケーシング本体と、
前記ケーシング本体の上部に装着される前記天然水が密封された貯水容器をセットするホルダーと、
前記ホルダー内の中央部に取り付けられるニードルユニットと、
前記、ケーシング本体の内外に装備された広告手段とから構成されている、
ことを特徴とする広告機能付きウォーターサーバー。
【請求項２】
前記ケーシング本体は正面パネル、左側面パネル、右側面パネル及び底面パネルから構成された上下方向を長手とした中空のほぼ直方体状であり、
前記供給口は前記ケーシング本体のほぼ正面中央部に形成されている、
ことを特徴とする請求項１記載の広告機能付きウォーターサーバー。
【請求項３】
前記ホルダーは上方及び下方を開口したほぼ函状体で、当該函状体の内部には底部を緩斜面とした貯水容器の載置部が形成され、
前記載置部の中央には下向きのニードルユニット取付部を設け、
前記ホルダーの上方には着脱可能な蓋体が取り付けられ、
前記ホルダーの下方正面及び背面には前記ニードルユニットや各種機器を操作するための窓部が形成されている、
ことを特徴とする請求項１記載の広告機能付きウォーターサーバー。
【請求項４】
前記広告手段が正面パネル又は／及び左側面パネル、右側面パネルに装着されたスピーカー付きの液晶ディスプレイと、
ケーシング本体の内部に設置されたビデオ再生装置とからなる、
ことを特徴とする請求項１記載の広告機能付きウォーターサーバー。
【請求項５】
前記スピーカーは有声又は無声とするための音声切り換え装置が備えられている、
ことを特徴とする請求項１又は請求項４の何れかに記載の広告機能付きウォーターサーバー。
【請求項６】
前記ウォーターサーバーに備えられた液晶ディスプレイのビデオ再生装置及び前記スピーカーの音声切り換え装置は、インターネットを介し、管理センターによって操作、管理されている、
ことを特徴とする請求項１、請求項４又は請求項５の何れかに記載の広告機能付きウォーターサーバー。
【請求項７】
前記貯水容器の天然水は前記ホルダーに取り付けられた液量センサーによって検知され、その液量データはインターネットを介し、前記管理センターに送信され、当該液量データは管理センターのホストコンピュータで管理されると共に、
前記貯水容器は管理センターの指示により、ＧＰＳを用いてナビゲータを搭載した配送車両等で当該ウォーターサーバーに配送される、
ことを特徴とする請求項１、請求項３又は請求項６の何れかに記載の広告機能付きウォーターサーバー。
【請求項８】
前記ニードルユニットは上方を開口し、前記ホルダーの載置部に設けられたニードルユニット取付部に着脱可能に螺設される円筒体と、
当該円筒体中央に立設された先端上部が錐状のニードルパイプとからなる、
ことを特徴とする請求項１又は請求項３の何れかに記載の広告機能付きウォーターサーバー。
【請求項９】
前記貯水容器が柔軟な軟質樹脂材からなる袋体で、当該袋体の中央上周縁部に天然水の注入口が形成され、所定量の天然水を注入後、前記注入口は熱溶着により密封されている、
ことを特徴とする請求項１又は請求項３の何れかに記載の広告機能付きウォーターサーバー。
【請求項１０】
前記ケーシング本体の内部には冷水タンク及び温水タンク内の天然水を冷却する冷却手段及び／又は天然水を加熱する加熱手段が設けられると共に、
前記冷却手段及び／又は加熱手段を制御する制御装置が設置されている、
ことを特徴とする請求項１、請求項２又は請求項４の何れかに記載の広告機能付きウォーターサーバー。
【発明の詳細な説明】
【技術分野】
【０００１】
本発明は、インターネット、ＧＰＳ及びＩＴ機器を利用した、広告機能付きウォーターサーバーに係り、より詳しくは、家庭、職場、学校、病院又は公共施設等多数の人が参集する屋内に設置され、ウォーターサーバーの利用者に美味しい天然水を提供すると共に、当該天然水の宣伝はもちろん広告スポンサーによる商品広告、各種のイベント情報等を提供することができる広告機能付きウォーターサーバーに関する。
【背景技術】
【０００２】
わが国は、かつて緑豊かな山野、清涼な水が流れる河川や湧水に恵まれ、「美味しい水」が飲料水また生活用水として自由かつふんだんに使用することができた。しかしながら、
近年、都市化や地球温暖化等により慢性的な水不足の深刻化、また、農薬、合成洗剤等の化学物質による水質汚染が進んで、そのため水道水は消毒のために使用する塩素臭が強く、飲料水としてはとても安心して美味しく飲めるものではなくなった。
【０００３】
このため近年、全国各地の有名な湧水や海洋深層水等の名水が、「〇〇〇のおいしい天然水」等と命名されてペットボトルや各種容器に入れられてお茶、コーヒー等の飲料水と共に販売されている。これらは、インターネットやスーパーマーケット、コンビニエンスストア等の店頭でも買うことができるし、また自動販売機でも購入することができる。
【０００４】
さらに、近年になり成人病発症の予防や健康維持管理には多量の水分摂取が必須であるとの情報がマスメディア等によって喧伝され、例えば成人が必要とされる水分摂取量は１日、約２Ｌであるといわれている。したがって、多くの人は、家庭や職場、学校等にあっても常に意識的に水分の補給を行っている。
【０００５】
上記の社会状況のもとで、ウォーターサーバーで一般利用者が無料で好きな量の冷水又は温水が飲用できる、いわゆるウォーターサーバービジネスが、特に都市近郊で急速に発展している。ウォーターサーバービジネスの概要は、一般的には、ウォーターサーバーは、飲料水販売業者から無料又は低料金でサーバ設置者にレンタルされ、飲料水販売業者とサーバ設置者は、サーバに装填される飲料水の料金と購入量等について契約し、飲料水販売業者は、契約に基づいて一定期間ごとに所定量の飲料水が充填されたウォーターボトルを配送するようになっている。
【０００６】
ウォーターサーバーについて、上記の社会環境の変化及びサーバの各種問題点や不具合を解消するために多数の提案がなされている。しかし、ウォーターサーバーによる多くの一般利用者に美味しい天然水を提供するという、本来の目的以外に、ウォーターサーバー設置場所に参集する一般利用者を対象とした有効活用方法に関する提案はほとんどなされていない。わずかに特許文献１（図１、第１頁参照）があるのみである。特許文献１の「給水装置」は、水の宅配分野で広告宣伝を可能とすることを目的とし、給水装置の外周に着脱自在に外嵌まりする下部を四角環に形成した取付け具を介して広告を付するようにしたことを特徴としている。その具体例となる実施形態は、図８に示すように、給水装置１の本体部に飲用水を供給する企業の企業名を付したり、ボトル２の外周面に直接広告を付し、あるいは広告媒体３として取付具６を介してボトル２の外周に外嵌めして装着するようにしている。
【０００７】
しかしながら、特許文献１による広告は、企業名やコマーシャルメッセージの文字を印刷したもので、利用者の注意を喚起することもない、ありきたりの広告であり、新鮮味がなく、したがって、給水装置の利用者が企業名を記憶したり、コマーシャルメッセージを見て広告商品の購買意欲を起こさせるという、アピール性やインパクト性もない費用対効果の低い広告媒体といわざるをえない。
【０００８】
また図９に示す特許文献２（図２、第１頁参照）は、従来より使用されているウォーターサーバーを示し、硬質樹脂製のボトルに飲料水を入れて、ウォーターサーバーの設置者に配布し、設置者又は飲料水販売業者（配送業者）は飲料水の入ったボトルをウォーターサーバーの上部にセットする。そして、利用者が水を飲む時にはウォーターサーバーの手動操作レバーを押すと、飲料水が供給されるという装置である。
【０００９】
しかしながら、特許文献２に示すボトルに飲料水を入れて利用者に供給するウォーターサーバーの場合、当該ボトルが空になったら、飲料水販売業者（配送業者）はこれを回収して、新たな飲料水を充填して再びサーバ設置者に供給するようになっている。そのために、ボトルを回収する手間がかかるという問題、また、使用済みのボトルを保管しておくスペースの確保、さらに、繰り返しボトルを使用することによる衛生上の問題が派生する。
【００１０】
また、ボトルの素材は硬質樹脂のポリカーボネートが多く用いられていることから、有害物質が溶出する恐れや、構造上の問題から冷水タンクに空気が入り、タンク内にバクテリアが繁殖する恐れがあるといった様々な問題があった。
【先行技術文献】
【特許文献】
【００１１】
【特許文献１】特開２００８−３０８２３４号公報
【特許文献２】特開２００７−２１０６６７号公報
【発明の概要】
【発明が解決しようとする課題】
【００１２】
そこで本願発明が解決しようとする第１の課題は、
地中深部から汲み上げるか、又は自然湧水した各種ミネラルが豊富で美味しい天然水を広く宣伝してその売上実績を向上させると共に、広告会社と提携して他企業の商品広告や各種組織、団体のイベント情報等のＰＲを最新の電子機器を装備し、費用対効果の高い広告機能付きウォーターサーバーを提供することである。
本願発明が解決しようとする第２の課題は、
衛生上の問題がなく、空になった貯水容器は回収することなく資源ごみとして再利用され、貯水容器のセット操作が簡便に行うことが可能な広告機能付きウォーターサーバーを提供することである。
【課題を解決するための手段】
【００１３】
本願発明者は、上記の従来技術が有する、各種の問題点に鑑み、鋭意検討を重ね、地下数百メートルから汲み上げたナトリウム・カリウム・カルシウム・マグネシウム等の天然ミネラルを多量に含む風味豊かな天然水を多くの人に飲用してもらうと共に、職場、学校、病院又は公共施設内等において、天然水の飲用者には休憩時間や待ち時間等を利用して各企業の商品広告や各種イベント情報等を入手できる、広告機能付きウォーターサーバーを完成させたものである。
＊＊＊＊＊＊＊＊＊＊＊＊＊＊＊＊＊＊＊＊＊＊＊＊＊＊＊＊＊＊＊＊＊＊＊＊＊＊＊＊
本願の明細書、特許請求の範囲等に記載の用語についての解釈上の疑義を解消すべく、以下本願明細書、特許請求の範囲等に記載する用語の説明を行うこととする。
＜用語の説明＞
●「天然水」とは、ナトリウム・カリウム・カルシウム・マグネシウム等の天然ミネラルを多量に含む水道法に定められた水質基準に適合した飲用水をいう。地下数百メートルから電動ポンプで汲み上げられたり、又は湧水を採水し、ろ過処理等を経て飲用に供せられる。
●「ウォーターサーバー」とは、天然水を密封した貯水容器、これを収納するホルダーと天然水を冷却する冷水タンク及び天然水を温める温水タンクを内蔵し、冷水タンク及び温水タンクから天然水を供給する供給口が設けられたケーシング本体とを主な構成部材とし、ケーシング本体の正面パネル又は／及び左側面パネル、右側面パネルにはスピーカー付きの液晶ディスプレイが装着され、美味しい天然水の冷水又は温水を利用者に無料提供すると共に、ウォーターサーバーの利用者に天然水の宣伝、商品広告やイベント情報等を提供する。
●「利用者」とは、例えば、職場、学校、病院又は公共施設内等に設置されたウォーターサーバーから冷水又は温水を無料で飲用できる人をいう。
●「ケーシング本体」とは、正面パネル、左側面パネル、右側面パネル及び底面パネルから構成された上下方向に長手とした中空のほぼ直方体状の筐体をいう。
●「貯水容器」とは、柔軟な軟質樹脂材、例えばポリエチレンシートや塩化ビニール等からなる中空扁平状袋体で、当該袋体の中央に天然水の注入口が形成され、所定量の天然水を注入後、前記注入口は熱溶着により密封される。
●「ホルダー」とは、貯水容器を保持するための函状体をいう。上方及び下方を開口し、その内部には底部を緩斜面とした貯水容器の載置部が形成され、その載置部の中央には下向きのニードルユニット取付部が設けられ、ホルダーの上方には着脱可能な蓋体が取り付けられ、またホルダーの下方正面及び背面には前記ニードルユニットや各種機器を操作するための窓部が形成されている。
●「広告手段」とは、正面パネル又は／及び左側面パネル、右側面パネルに装着されたスピーカー付きの液晶ディスプレイと、ケーシング本体の内部に設置されたビデオ再生装置とをいう。これらの機器を作動させて、ウォーターサーバーの設置場所に参集した利用者に商品広告、イベント情報等を提供する。
●「ニードルユニット」とは、ホルダーのユニット取付部に着脱可能に螺設される円筒体と、当該円筒体中央に立設された先端上部が錐状のニードルパイプとからなり、ホルダーの載置部にセットされた貯水容器の中央部をニードル管の先端で貫通し、ケーシング本体の内部に設置された冷水タンク及び温水タンクに流入させる。
●「冷却手段」とは、貯水容器からニードルユニットより流入した冷水タンク内の天然水を所定の温度に冷却する冷却器をいう。
●「加熱手段」とは、貯水容器からニードルユニットより流入した温水タンク内の天然水を所定の温度に加温するヒーターをいう。
●「制御装置」とは、各種センサー、電磁弁、注水レバー、冷水タンク及び温水タンク内の天然水の水温を所定温度に維持するための作動機器等に接続され、その起動〜停止等を制御するマイクロコンピュータ等をいう。
●「管理センター」とは、天然水の採水業者又は天然水販売者等が開設するもので、ウォーターサーバーの貯水容器及び関連機器のメンテナンス、管理等を通信回線（例えば、インターネット）、及びＧＰＳ等を用いて行う。
＊＊＊＊＊＊＊＊＊＊＊＊＊＊＊＊＊＊＊＊＊＊＊＊＊＊＊＊＊＊＊＊＊＊＊＊＊＊＊＊
【００１４】
課題を解決するための手段（第１発明〜第８発明）は、本願、特許請求の範囲の各請求項に記載の発明であり、具体的には、
第１発明は、請求項１に記載の発明であり、
第２発明は、請求項２に記載の発明であり、
第３発明は、請求項３に記載の発明であり、
第４発明は、請求項４に記載の発明であり、
第５発明は、請求項５に記載の発明であり、
第６発明は、請求項６に記載の発明であり、
第７発明は、請求項７に記載の発明であり、
第８発明は、請求項８に記載の発明であり、
第９発明は、請求項９に記載の発明であり、
第１０発明は、請求項１０に記載の発明である。
具体的な課題を解決するための手段は、以下の通りである。
【００１５】
請求項１に記載の発明は、天然水を冷却する冷水タンク及び天然水を温める温水タンクを内蔵し、冷水タンク及び温水タンクから天然水を供給する供給口が設けられたケーシング本体と、前記ケーシング本体の上部に装着される前記天然水が密封された貯水容器をセットするホルダーと、前記ホルダー内の中央部に取り付けられるニードルユニットと、前記、ケーシング本体の内外に装備された広告手段とから構成されている、ことを特徴としている。
【００１６】
請求項２に記載の発明は、請求項１に記載の広告機能付きウォーターサーバーにあって、
前記ケーシング本体は正面パネル、左側面パネル、右側面パネル及び底面パネルから構成された上下方向を長手とした中空のほぼ直方体状であり、前記供給口は前記ケーシング本体のほぼ正面中央部に形成されている、ことを特徴としている。
【００１７】
請求項３に記載の発明は、請求項１に記載の広告機能付きウォーターサーバーにあって、
前記ホルダーは上方及び下方を開口したほぼ函状体で、当該函状体の内部には底部を緩斜面とした貯水容器の載置部が形成され、前記載置部の中央には下向きのニードルユニット取付部を設け、前記ホルダーの上方には着脱可能な蓋体が取り付けられ、前記ホルダーの下方正面及び背面には前記ニードルユニットや各種機器を操作するための窓部が形成されている、ことを特徴としている。
【００１８】
請求項４に記載の発明は、請求項１に記載の広告機能付きウォーターサーバーにあって、
前記広告手段が正面パネル又は／及び左側面パネル、右側面パネルに装着されたスピーカー付きの液晶ディスプレイと、ケーシング本体の内部に設置されたビデオ再生装置とからなる、ことを特徴としている。
【００１９】
請求項５に記載の発明は、請求項１又は請求項４の何れかに記載の広告機能付きウォーターサーバーにあって、
前記スピーカーは有声又は無声とするための音声切り換え装置が備えられている、ことを特徴としている。
【００２０】
請求項６に記載の発明は、請求項１、請求項４又は請求項５の何れかに記載の広告機能付きウォーターサーバーにあって、
前記ウォーターサーバーに備えられた液晶ディスプレイのビデオ再生装置及び前記スピーカーの音声切り換え装置は、インターネットを介し、管理センターによって操作、管理されている、ことを特徴としている。
【００２１】
請求項７に記載の発明は、請求項１、請求項３又は請求項６の何れかに記載の広告機能付きウォーターサーバーにあって、
前記貯水容器の天然水は前記ホルダーに取り付けられた液量センサーによって検知され、その液量データはインターネットを介し、前記管理センターに送信され、当該液量データは管理センターのホストコンピュータで管理されると共に、前記貯水容器は管理センターの指示により、ＧＰＳを用いてナビゲータを搭載した配送車両等で当該ウォーターサーバーに配送される、ことを特徴としている。
【００２２】
請求項８に記載の発明は、請求項１又は請求項３の何れかに記載の広告機能付きウォーターサーバーにあって、
前記ニードルユニットは上方を開口し、前記ホルダーの載置部に設けられたニードルユニット取付部に着脱可能に螺設される円筒体と、当該円筒体中央に立設された先端上部が錐状のニードルパイプとからなる、ことを特徴としている。
【００２３】
請求項９に記載の発明は、請求項１又は請求項３の何れかに記載の広告機能付きウォーターサーバーにあって、
前記貯水容器が柔軟な軟質樹脂材からなる袋体で、当該袋体の中央上周縁部に天然水の注入口が形成され、所定量の天然水を注入後、前記注入口は熱溶着により密封されている、ことを特徴としている。
【００２４】
請求項１０に記載の発明は、請求項１、請求項２又は請求項４の何れかに記載の広告機能付きウォーターサーバーにあって、
前記ケーシング本体の内部には冷水タンク及び温水タンク内の天然水を冷却する冷却手段及び／又は天然水を加熱する加熱手段が設けられると共に、前記冷却手段及び／又は加熱手段を制御する制御装置が設置されている、ことを特徴としている。
【発明の効果】
【００２５】
本願発明に係る、広告機能付きウォーターサーバーは、上記のような特徴的構成要件から構成され、特徴的構成要件に応じた、以下のような本願発明特有の効果を奏する。また、上記のような特徴的構成要件から構成された広告機能付きウォーターサーバーによれば、本願発明の課題を十分解消することができた。
すなわち、第１の発明によれば、
「天然水を冷却する冷水タンク及び天然水を温める温水タンクを内蔵し、冷水タンク及び温水タンクから天然水を供給する供給口が設けられたケーシング本体と、前記ケーシング本体の上部に装着される前記天然水が密封された貯水容器をセットするホルダーと、前記ホルダー内の中央部に取り付けられるニードルユニットと、前記、ケーシング本体の内外に装備された広告手段とから構成されている」という特徴的構成要件により、
また、第２の発明によれば、
「前記ケーシング本体は正面パネル、左側面パネル、右側面パネル及び底面パネルから構成された上下方向を長手とした中空のほぼ直方体状であり、前記供給口は前記ケーシング本体のほぼ正面中央部に形成されている」という特徴的構成要件により、
また、第３の発明によれば、
「前記ホルダーは上方及び下方を開口したほぼ函状体で、当該函状体の内部には底部を緩斜面とした貯水容器の載置部が形成され、前記載置部の中央には下向きのニードルユニット取付部を設け、前記ホルダーの上方には着脱可能な蓋体が取り付けられ、前記ホルダーの下方正面及び背面には前記ニードルユニットや各種機器を操作するための窓部が形成されている」という特徴的構成要件により、
また、第４の発明によれば、
「前記広告手段が正面パネル又は／及び左側面パネル、右側面パネルに装着されたスピーカー付きの液晶ディスプレイと、ケーシング本体の内部に設置されたビデオ再生装置とからなる」という特徴的構成要件により、
さらに、第５の発明によれば、
「前記スピーカーは有声又は無声とするための音声切り換え装置が備えられている」という特徴的構成要件により、
また、第６の発明によれば、
「前記ウォーターサーバーに備えられた液晶ディスプレイのビデオ再生装置及び前記スピーカーの音声切り換え装置は、インターネットを介し、管理センターによって操作、管理されている」という特徴的構成要件により、
また、第７の発明によれば、
「前記貯水容器の天然水は前記ホルダーに取り付けられた液量センサーによって検知され、その液量データはインターネットを介し、前記管理センターに送信され、当該液量データは管理センターのホストコンピュータで管理されると共に、前記貯水容器は管理センターの指示により、ＧＰＳを用いてナビゲータを搭載した配送車両等で当該ウォーターサーバーに配送される」という特徴的構成要件により、
地中深部から汲み上げるか、又は自然湧水した各種ミネラルが豊富で美味しい天然水を広く宣伝してその売上実績を向上させると共に、広告会社と提携して他企業の商品広告や各種組織、団体のイベント情報等のＰＲを最新の電子機器を装備し、費用対効果の高い広告機能付きウォーターサーバーを提供という、第１の課題を解決することができた。
【００２６】
第８の発明によれば、
「前記ニードルユニットは上方を開口し、前記ホルダーの載置部に設けられたニードルユニット取付部に着脱可能に螺設される円筒体と、当該円筒体中央に立設された先端上部が錐状のニードルパイプとからなる」という特徴的構成要件により、
また、第９の発明によれば、
「前記貯水容器が柔軟な軟質樹脂材からなる袋体で、当該袋体の中央上周縁部に天然水の注入口が形成され、所定量の天然水を注入後、前記注入口は熱溶着により密封されている」という特徴的構成要件により、
また、第１０の発明によれば、
「前記ケーシング本体の内部には冷水タンク及び温水タンク内の天然水を冷却する冷却手段及び／又は天然水を加熱する加熱手段が設けられると共に、前記冷却手段及び／又は加熱手段を制御する制御装置が設置されている」という特徴的構成要件により、
衛生上の問題がなく、空になった貯水容器は回収することなく資源ごみとして再利用され、貯水容器のセット操作が簡便に行うことが可能な広告機能付きウォーターサーバーの提供という、第２の課題を解決することができた。
【図面の簡単な説明】
【００２７】
【図１】（イ）は、本発明に係る広告機能付きウォーターサーバーの外観正面図、（ロ）は、同一部を切欠した外観右側面図である。
【図２】は、同概略構成を示す模式図である。
【図３】は、蓋体を外した状態におけるホルダーの縦断面図である。
【図４】（イ）は、ニードルユニットの斜視図、（ロ）は、その縦断面図である。
【図５】（イ）は、ウォーターサーバー設置者と管理センターの関連を説明する概念図、（ロ）は、管理センターと貯水容器を配送する配送車両の動作を説明する概念図である。
【図６】は、貯水容器をウォーターサーバーにセットするときの流れ図である。
【図７】は、ウォーターサーバーの作動を説明する流れ図である。
【図８】は、従来技術を示す外観正面図である。
【図９】は、従来技術を示す外観正面図である。
【発明を実施するための形態】
【００２８】
図１（イ）、（ロ）〜図２は、本発明に係る広告機能付きウォーターサーバーＷＳを示している。天然水Ｗを冷却する冷水タンク６０及び天然水Ｗを温める温水タンク７０を内蔵し、冷水タンク６０及び温水タンク７０から天然水Ｗを供給する供給口６０ａ、７０ａが設けられたケーシング本体１００と、ケーシング本体１００の上部に装着される天然水Ｗが密封された貯水容器５０をセットするホルダー２０と、そのホルダー２０内の中央部に取り付けられるニードルユニット４０と、ケーシング本体１００の内外に装着された広告手段３０とから構成されている。冷水タンク６０では内蔵された冷却器６１によって天然水Ｗが所定の温度、例えば１５℃〜１８℃に冷やされ、温水タンク７０では内蔵されたヒーター７１によって天然水Ｗが所定の温度、例えば５０℃〜７０℃に温められる。
【００２９】
ケーシング本体１００は、正面パネル１０、左側面パネル１１、右側面パネル１２及び底面パネル１３から構成された上下方向を長手とした中空のほぼ直方体状であり、供給口６０ａ、７０ａは、ケーシング本体１００のほぼ中央部に形成されている。またケーシング本体１００の内部には冷水タンク６０及び温水タンク７０内の天然水Ｗを冷却する冷却手段である冷却器６１及び／又は天然水Ｗを加熱する加熱手段のヒーター７１が設けられると共に、冷却器６１及び／又はヒーター７１を制御する制御装置ＣＴが設置されている。
【００３０】
ホルダー２０は、図１（イ）、（ロ）〜図２に示すように、上方及び下方を開口したほぼ函状体で、当該函状体の内部には底部を緩斜面２０ａとした貯水容器５０の載置部２１が形成され、載置部２１の中央には下向きのニードルユニット取付部２２を設け、ホルダー２０の上方には着脱可能な蓋体２３が取り付けられ、ホルダー２０の下方正面及び背面には前記ニードルユニット４０や各種機器を操作するための窓部２４が形成されている。２５は液量センサーで、貯水容器５０内の天然水Ｗの貯水量を検知し、そのデータは通信回線、例えばインターネットＮ等を介し、管理センターＣＳに送信される（図５、参照）。また、図３に示すように、ニードルユニット取付部２２には、ニードルユニット４０が螺合される。ニードルユニット４０は、図４（イ）、（ロ）に示すように、円筒体４１とその中央に立設された先端上部が錐状のニードルパイプ４２とからなり、円筒体４１の内周面には雌ねじ４１ａが螺設され、ニードルユニット取付部２２の外周面に螺設された雄ねじ２２ａと螺合されており、必要に応じてニードルユニット４０は取付部２２から取り外される。ニードルパイプ４２の先端は、ホルダー２０の載置部２１にセットされた貯水容器５０の底部５０ａを貫通し、貯水容器５０内の天然水Ｗを冷水タンク６０及び温水タンク７０内に流下させるものである。なお、８１は排水弁で、冷水タンク６０及び温水タンク７０を定期的に清掃する際などに、冷水タンク６０及び温水タンク７０内の残量水を全て排水するときに開かれる。
【００３１】
広告手段３０は、液晶ディスプレイ３１、ビデオ再生装置３２及びスピーカー３３からなり、スピーカー３３には音声を有声又は無声とするための音声切り換え装置３３ａが備えられている。液晶ディスプレイ３１は、サーバ設置者の希望により、ケーシング本体１００の正面パネル又は／及び左側面パネル、右側面パネル何れにも装着することができる。即ち、広告機能付きウォーターサーバーＷＳは、設置場所、例えば市役所等の公共施設、大病院の待合室等においては、多数の利用者があり、液晶ディスプレイ３１の視聴角度を拡大する必要があるためである。また、音声の音声切り換え装置３３ａもウォーターサーバーＷＳの設置場所によっては、無音とし、文字画像、静止画像又は動画像による商品広告、イベント情報等を流して利用者に宣伝広告を行うもので、関連機器の操作、管理等は管理センターＣＳで行うようになっている。図５（イ）は、ウォーターサーバーＷＳ設置者と管理センターＣＳの関連を示すもので、各ウォーターサーバーＷＳと管理センターＣＳは、インターネットＮ等の通信回線を介して送受信可能となっている。ＤＢは各ウォーターサーバーＷＳに関するデータベース、ＤＲは、貯水容器５０から送信される液量データの受信装置で、ＳＲは貯水容器５０を配送する配送車両等ＳＣとの送受信装置である。図５（ロ）は、管理センターＣＳと貯水容器５０を配送する配送車両ＣＳの動作を示している。各配送車両等ＳＣは、ＧＰＳ（Ｇｌｏｂａｌ  Ｐｏｓｉｔｉｏｎｉｎｇ  Ｓｙｓｔｅｍ＝全地球測位システム）付きナビゲータを搭載しており、貯水容器５０の天然水Ｗはホルダー２０に取り付けられた液量センサー２５によって検知され、その液量データはインターネットＮを介し、管理センターＣＳに送信され、当該液量データは管理センターＣＳのホストコンピュータ（不図示）で管理されると共に、貯水容器５０は管理センターＣＳの指示により、ＧＰＳを用いてナビゲータを搭載した配送車両ＣＳ等で当該ウォーターサーバーＷＳに迅速に配送される。なおＡＴはアンテナである。
【００３２】
天然水Ｗを充填する貯水容器５０は、柔軟な軟質樹脂材、例えばポリエチレンシートや塩化ビニール等からなる中空扁平状袋体であり、袋体の中央に天然水Ｗの注入口５１が形成され、所定量、例えば、約１２Ｌ〜２０Ｌ（ホルダー２０の容量に適合する）の天然水Ｗを注入後、注入口５１は熱溶着５２により密封され、段ボールケース又は発泡スチロールケース等により、ウォーターサーバーＷＳの設置場所に配送される。
【００３３】
次に、図６に基づいて、残量がなくなった貯水容器５０に替えて新たな貯水容器５０をウォーターサーバーＷＳにセットする動作について説明する。まず、電源をＯＦＦ（１）とすれば、開閉弁２６は閉まり（２）、冷却器６１及びヒーター７１は停止する（３）。また冷水ランプ６２ａ及び温水ランプ７２ａも消灯し（４）、液晶ディスプレイ３１の画像が消える（５）。次にホルダー２０の蓋体２３を取り外し（６）、貯水容器５０を上方に引き上げ（７）、新しい貯水容器５０をホルダー２０の載置部２１にリセット（８）し、ニードルパイプ４２が貯水容器５０の底部を貫通する（９）、蓋体２３をホルダー２０に被着し（１０）、貯水容器５０のウォーターサーバーＷＳへのセッティングは終了（１１）する。なお、ホルダー２０から引き上げられた貯水容器５０は、扁平状に折り畳まれて資源ごみとして樹脂材の回収業者に回収される。
【００３４】
貯水容器５０を新しい貯水容器５０に取り替えたウォーターサーバーＷＳの動作を、図７に基づいて説明する。まず、電源をＯＮ（２１）すれば、制御装置が作動し（２２）、開閉弁２６は開き天然水Ｗは、冷水タンク６０に流下し（２３）、冷水タンク６０の下流にある電磁弁８０が開き天然水Ｗは、温水タンク７０に流下し（２４）、冷却器６１及びヒーター７１は作動を開始する（２５）。冷水ランプ６２ａ及び温水ランプ７２ａも点灯し（２６）、液晶ディスプレイ３１の画像が流れ出し（２７）、利用者への給水が可能（２８）となる。これにより、ウォーターサーバーＷＳの利用者は冷却器６１及びヒーター７１により適温とされた冷水又は温水を美味しく飲みながら、液晶ディスプレイ３１から流される音楽、各種の広告やイベント情報を得ることができる。
【符号の説明】
【００３５】
Ｗ                    天然水
ＷＳ                  広告機能付きウォーターサーバー
１００                ケーシング本体
１０                  正面パネル
１１                  左側面パネル
１２                  右側面パネル
１３                  底面パネル
２０                  ホルダー
２０ａ                緩斜面
２１                  載置部
２２                  ユニット取付部
２２ａ                緩斜面
２３                  蓋体
２４                  窓部
２５                  液量センサー
２６                  開閉弁
３０                  広告手段
３１                  液晶ディスプレイ
３２                  ビデオ再生装置
３３                  スピーカー
３３ａ                音声切り換え装置
４０                  ニードルユニット
４１                  円筒体
４１ａ                雌ねじ
４２                  ニードルパイプ
４２ａ                先端上部
５０                  貯水容器
５０ａ                底部
５１                  注入口
５２                  熱溶着
６０                  冷水タンク
６０ａ                供給口
６１                  冷却器
６２                  冷水レバー
６３                  温度センサー
７０                  温水タンク
７０ａ                供給口
７１                  ヒーター
７２                  温水レバー                
７３                  温度センサー
ＣＴ                  制御装置
８０                  電磁弁
８１                  排水弁
Ｎ                    インターネット
ＣＳ                  管理センター
ＤＢ                  データベース
ＤＲ                  受信装置
Ｓ Ｒ                           送受信装置
【図１】
2013056699.tif 000003
【図２】
2013056699.tif 000004
【図３】
2013056699.tif 000005
【図４】
2013056699.tif 000006
【図５】
2013056699.tif 000007
【図６】
2013056699.tif 000008
【図７】
2013056699.tif 000009
【図８】
2013056699.tif 000010
【図９】
2013056699.tif 000011